(57)【要約】【課題】電気的性能の良好な高周波ユニットを提供すること。【解決手段】本発明の高周波ユニットにおいて、２個の空芯コイルの巻線部が略同芯状になるように自重によって回路基板に対して同一方向に傾いた状態で回路基板に取り付けられているため、高周波回路における２個の空芯コイル間の電気的結合が良好な状態で一定にでき、利得が向上すると共に、レスポンスが良くなって、電気的性能の良好なものが得られる。【選択図】図２
2007299999.tif 000002
【特許請求の範囲】
【請求項１】
一列状に形成された複数の孔、及びこの孔の周囲に形成されたランド部を有する回路基板と、直線状に少なくとも２個が互いに近接した状態で、リード部が前記孔に挿入されて前記ランド部に取り付けられた空芯コイルとを備え、前記２個の空芯コイルは、円形状の巻線部と、この巻線部の両端部から同一方向に延び、前記ランド部に取り付けられる一対の前記リード部を有すると共に、一対の前記リード部は、前記巻線部の中心を通って径方向に延びる線に対して前記巻線部の中心から同一方向に外れた状態で形成され、前記リード部が前記孔に挿入された際、前記２個の空芯コイルは、２個の前記巻線部の中心が略同芯状になるように、前記リード部を基準にして、前記巻線部の自重によって前記回路基板に対して同一方向に傾いた状態で前記回路基板に取り付けられたことを特徴とする高周波ユニット。
【請求項２】
一対の前記リード部は、前記巻線部の径方向に延びる線と平行に延びて形成されたことを特徴とする請求項１記載の高周波ユニット。
【請求項３】
一対の前記リード部は、前記巻線部の最外周部に沿って延びて形成されたことを特徴とする請求項１，又は２記載の高周波ユニット。
【発明の詳細な説明】
【技術分野】
【０００１】
本発明は、テレビチューナ等において、２個の空芯コイル間でインダクタ結合を必要とする高周波回路に使用して好適な高周波ユニットに関するものである。
【背景技術】
【０００２】
図６は従来の高周波ユニットに係る要部の断面図であり、次に、従来の高周波ユニットの構成を図６に基づいて説明すると、回路基板５１は、一列状に複数個設けられた貫通孔５２と、この貫通孔５２の周囲に設けられたランド部５３を有する。
【０００３】
２個の空芯コイル５４は、巻線部５５と、この巻線部５５の両端部に設けられた一対のリード部５６を有する共に、この一対のリード部５６は、巻線部５５の径方向に延びる線上に設けられており、この２個の空芯コイル５４は、互いに近接した状態で直線状に配置され、それぞれのリード部５６が貫通孔５２に挿通された状態で、リード部５６がランド部５３に半田５７付けされて、従来の高周波ユニットが形成されている（例えば、特許文献１参照）。
【０００４】
このような構成を有する従来の高周波ユニットの製造方法は、先ず、ランド部５３上にクリーム半田（図示せず）が塗布された後、リード部５６が貫通孔５２に挿通された状態で、リフロー半田付装置に搬送されて、クリーム半田の溶融によって、リード部５６がランド部５３に半田５７付けされるようになっている。
【特許文献１】特開平１０−３１３１５５号公報
【発明の開示】
【発明が解決しようとする課題】
【０００５】
しかし、従来の高周波ユニットにあっては、巻線部５５の径方向に延びて設けられたリード部５６が貫通孔５２に挿通された状態で、リード部５６がランド部５３に半田５７付けされるため、リフロー半田付装置への搬送時等における振動や衝撃等によって、回路基板５１に対する２個の空芯コイル５４の巻線部５５の傾きにバラツキが生じ、その結果、高周波回路における２個の空芯コイル５４間の電気的結合にバラツキが生じて、利得が低下すると共に、レスポンスが悪くなって、電気的性能が劣化するという問題がある。
【０００６】
本発明は、このような従来技術の実情に鑑みてなされたもので、その目的は、電気的性能の良好な高周波ユニットを提供することにある。
【課題を解決するための手段】
【０００７】
上記の目的を達成するために、本発明は、一列状に形成された複数の孔、及びこの孔の周囲に形成されたランド部を有する回路基板と、直線状に少なくとも２個が互いに近接した状態で、リード部が孔に挿入されてランド部に取り付けられた空芯コイルとを備え、２個の空芯コイルは、円形状の巻線部と、この巻線部の両端部から同一方向に延び、ランド部に取り付けられる一対のリード部を有すると共に、一対のリード部は、巻線部の中心を通って径方向に延びる線に対して巻線部の中心から同一方向に外れた状態で形成され、リード部が孔に挿入された際、２個の空芯コイルは、２個の巻線部の中心が略同芯状になるように、リード部を基準にして、巻線部の自重によって回路基板に対して同一方向に傾いた状態で回路基板に取り付けられたことを特徴としている。
【０００８】
このように構成した本発明は、２個の空芯コイルの巻線部が略同芯状になるように自重によって回路基板に対して同一方向に傾いた状態で回路基板に取り付けられているため、高周波回路における２個の空芯コイル間の電気的結合が良好な状態で一定にでき、利得が向上すると共に、レスポンスが良くなって、電気的性能の良好なものが得られる。
【０００９】
また、本発明は、上記発明において、一対のリード部は、巻線部の径方向に延びる線と平行に延びて形成されたことを特徴としている。
【００１０】
このように構成した本発明は、リード部の孔への挿入が容易であると共に、巻線部の傾きの安定したものが得られる。
【００１１】
また、本発明は、上記発明において、一対のリード部は、巻線部の最外周部に沿って延びて形成されたことを特徴としている。
【００１２】
このように構成した本発明は、巻線部の自重による傾きが大きくなって、巻線部の傾きの安定したものが得られる。
【発明の効果】
【００１３】
本発明は、２個の空芯コイルの巻線部が自重によって回路基板に対して同一方向に傾いた状態で回路基板に取り付けられているため、高周波回路における２個の空芯コイル間の電気的結合が良好な状態で一定にでき、利得が向上すると共に、レスポンスが良くなって、電気的性能の良好なものが得られる。
【発明を実施するための最良の形態】
【００１４】
発明の実施の形態について図面を参照して説明すると、図１は本発明の高周波ユニットの第１実施例に係る要部の平面図、図２は本発明の高周波ユニットの第１実施例に係る要部の断面図、図３は本発明の高周波ユニットの第１実施例に係る空芯コイルの斜視図、図４は本発明の高周波ユニットの第１実施例に係る空芯コイルの側面図、図５は本発明の高周波ユニットの第２実施例に係る空芯コイルの側面図である。
【００１５】
次に、本発明の高周波ユニットの第１実施例に係る構成を図１〜図４に基づいて説明すると、回路基板１は、一列状に複数個設けられた貫通孔２と、この貫通孔２の周囲に設けられたランド部３を有する。
【００１６】
なお、この実施例では、ランド部３が回路基板１の下面に設けられたもので説明したが、ランド部３が回路基板１の上面に設けられたものでも良い。
【００１７】
２個の空芯コイル４は、巻線部５と、この巻線部５の両端部から同一方向に延びる一対のリード部６を有すると共に、この一対のリード部６は、巻線部５の中心Ｃを通って巻線部５の径方向に延びる線Ｓに対して中心Ｃから同一方向に外れた状態で、巻線部５の最外周部に沿って線Ｓと平行に延びて形成されている。
【００１８】
この２個の空芯コイル４は、互いに近接した状態で直線状に配置され、それぞれのリード部６が貫通孔２に挿通された状態で、リード部６がランド部３に半田７付けされている。
【００１９】
そして、リード部６が半田７付された時、リード部６が巻線部５の径方向の線Ｓから同一方向に外れた状態にあるため、２個の空芯コイル４の巻線部５が略同芯状になるように、リード部６を基準にして、自重によって回路基板１に対して同一方向に傾いた状態で回路基板１に取り付けられると共に、回路基板１には、所望の電気回路を形成するための空芯コイル４以外の電子部品（図示せず）が搭載されて、本発明の高周波回路が形成されている。
【００２０】
このような構成を有する本発明の高周波ユニットに係る製造方法は、ここでは図示しないが、先ず、ランド部３上にクリーム半田（図示せず）が塗布された後、リード部６が貫通孔２に挿通された状態で、リフロー半田付装置に搬送されて、クリーム半田の溶融によって、リード部６がランド部３に半田７付けされるようになっており、この製造中におけるリフロー半田付装置への搬送時等における振動や衝撃等によっても、２個の空芯コイル４の巻線部５が自重によって回路基板１に対して同一方向に傾いた状態で回路基板１に取り付けできる。
【００２１】
また、図５は本発明の高周波ユニットの第２実施例を示し、この第２実施例について説明すると、空芯コイル４の一対のリード部６は、巻線部５の中心Ｃを通って巻線部５の径方向に延びる線Ｓに対して中心Ｃから同一方向に外れた状態で、巻線部５の最外周部と線Ｓとの間において線Ｓと平行に延びて形成されたものである。
【００２２】
即ち、一対のリード部６が巻線部５の径方向の線Ｓから同一方向に外れた状態にあるため、２個の空芯コイル４の巻線部５が略同芯状になるように自重によって回路基板１に対して同一方向に傾いた状態で回路基板１に取り付けられる。
【００２３】
その他の構成は、上記第１実施例と同様の構成を有し、ここではその説明を省略する。
【図面の簡単な説明】
【００２４】
【図１】本発明の高周波ユニットの第１実施例に係る要部の平面図である。
【図２】本発明の高周波ユニットの第１実施例に係る要部の断面図である。
【図３】本発明の高周波ユニットの第１実施例に係る空芯コイルの斜視図である。
【図４】本発明の高周波ユニットの第１実施例に係る空芯コイルの側面図である。
【図５】本発明の高周波ユニットの第２実施例に係る空芯コイルの側面図である。
【図６】従来の高周波ユニットに係る要部の断面図である。
【符号の説明】
【００２５】
１  回路基板
２  貫通孔
３  ランド部
４  空芯コイル
５  巻線部
６  リード部
７  半田
Ｃ  中心
Ｓ  中心を通る線
【図１】
2007299999.tif 000003
【図２】
2007299999.tif 000004
【図３】
2007299999.tif 000005
【図４】
2007299999.tif 000006
【図５】
2007299999.tif 000007
【図６】
2007299999.tif 000008